(57)【要約】      （修正有）【課題】会議、結婚披露、その他のイベントで席を指定するために卓上に表示する席札類や、商品等の広告のために卓上その他の小平面上にハンディに置いて用いる表示媒体を提供する。【解決手段】底面と側面、または、底面と側面と上面によって中空の立体を構成し、側面または上面に開口部を設け、底面を下に凸の曲面に形成し、底面の中心部に荷重がかかるように立体内部に錘を設置したことを基本とする。錘としては、その全部または一部を商品によって充当し着脱自在に取り付けると、持ち帰り用の小ギフトや商品見本になる。【選択図】図２
2007121350.tif 000002
【特許請求の範囲】
【請求項１】
底面と側面とによって中空の立体を構成し、底面以外の部位に少なくとも１箇所の開口部を設け、底面を下に凸の曲面に形成し、底面の中心部に荷重がかかるように立体内部に錘を設置したことを特徴とする卓上表示具。
【請求項２】
底面を下に凸の弧状曲面に形成し、弧状でない部分を延長して側面が立ち上がっている請求項１記載の卓上表示具。
【請求項３】
錘の全部または一部を商品によって充当した請求項１〜２のいずれかに記載の卓上表示具。
【請求項４】
錘の全部または一部を着脱可能に設置した請求項１〜３のいずれかに記載の卓上表示具。
【発明の詳細な説明】
【技術分野】
【０００１】
本発明は、会議、結婚披露、その他のイベントで席を指定するために卓上に表示する席札類や、商品等の広告のために卓上その他の小平面上にハンディに置いて用いる表示媒体に関する。
【背景技術】
【０００２】
会議、受付席や物品の表示などに三角柱を横倒しにしたものがよく用いられている。三角柱の内部を空洞にする場合もある。シートを折曲して中空三角形に組み立てる席札（特許文献１）や、だるまや人形などの装飾体に表示札を付ける（特許文献２，３）など、いろんな表示具がある。また、席札のみの機能ではなく、席上の物品を持ち帰ることが出来るように、ナプキンを包装する機能（特許文献４）や、物品を収納する容器の機能（特許文献５）を持たせた表示具が提案されている。
【特許文献１】実開昭５５−１０８４６３号公報
【特許文献２】実開昭５８−３６７７９号公報
【特許文献３】実開平４−６５３７９号公報
【特許文献４】特開２００２−８７４６８号公報
【特許文献５】登実３０５０８９７号公報
【発明の開示】
【発明が解決しようとする課題】
【０００３】
従来の席札、名札類やハンディな商品表示具などは、置いてあるだけで動くことはない。これに対し、揺り動かして遊び心を楽しませる表示具を提供しようとするものである。
【課題を解決するための手段】
【０００４】
本発明は、底面と側面とによって中空の立体を構成し、底面を下に凸の曲面に形成し、底面以外の部位に少なくとも１箇所の開口部を設け、底面の中心部に荷重がかかるように立体内部に錘を設置したことを基本とする卓上表示具である。
開口部の部位は、底面以外、即ち、側面または上面、あるいは側面と上面である。
底面を下に凸の弧状曲面に形成し、弧状でない部分を延長して側面が立ち上がっている態様の卓上表示具がある。
錘としては、その全部または一部を商品によって充当することがあり、また、錘の全部または一部を着脱可能に設置することがあり得る。
卓上表示具と言うのは、卓上その他の小平面上にハンディに置いて用いる表示器具であることを意味している。
【発明の効果】
【０００５】
底面を下に凸の曲面にし、底面の中央部に荷重がかかるように錘を設置したので、側面を指で弾くなどして動かせば、底面中央部を支点にして立体が暫く揺れ動く。これによって、遊び心で気持ちを和ませ、待ち時間のいらいらを解消させる。
【０００６】
立体の側面あるいは頂部に名前を表示すれば席札となり、商品広告を表示すれば広告体となる等々、卓上表示が出来る。
小物商品を錘の全部または錘の一部として使用すると、単なる席札等の表示や商品広告表示に留まらず、小さなギフトないし持ち帰り用の商品見本などの役割を果たす。錘を着脱可能に設置すると、錘として用いる小物商品の入れ替えに便利であり、また、小物商品だけを取り出して持ち帰ることが出来る。
【０００７】
底面と側面、または、底面と側面と上面から構成された立体は、側面または上面、或いは側面と上面に開口部を有する。この開口部から小物商品を立体の内外に出入させることが出来る。
【発明を実施するための最良の形態】
【０００８】
本発明の表示具は底面が下に凸の球状面か、又は、弧状面である。球状面にすれば、立体は前後左右に揺れ動き、弧状面にすれば、立体は前後または左右に揺れ動く。側面は、底面から延長した状態で立ち上がっている。底面と側面の間に屈折箇所や接合箇所がなくて、側面が、ある曲率を持って底面の延長として立ち上がっている場合がある。その場合は、底面と側面の境界が判然としないが、立体の底部にあって球状面又は弧状面を形成している部分を底面と認識する。
【０００９】
底面が弧状面の場合は、弧状部分の縁辺からは側面の立ち上がりがなく、この部分が側面開口部となる。底面が球状面の場合は、底面以外の適宜の箇所に開口部を作る。
底面が弧状面の場合、側面は、立体の頂部において、互いに接合するか、板状体を挟み込んで接合するか、または、上面を設けて纏めるか、など、適宜に纏める。
錘は、底面の中央部に荷重がかかるように、固定または着脱可能に立体内部に、普通は底部に設置する。錘は、立体を傾けた時、底面の曲面形状とあいまって、立体を元に戻そうとする力として作用せしめる。
以下に図によって説明する。
【実施例１】
【００１０】
図１は、実施例１の立体部分の展開図である。四角形のシート１の中央部に平行な切り込み２を入れて切り込み部３を形成する。中央部の適当な広さの領域を底面４とし、その外側を側面５，５とする。底面４と側面５の仮想境界を線６，６で示す。このシート１の底面４を下に凸に湾曲し、線６，６付近から小曲率をもって側面５，５を立ち上げる。底面４で側面の立ち上がりが無い部分は、立体側面の開口部８となる。側面５，５は上部で互いに拝み合わせて接合する。底部の切り込み部３を上方に持ち上げ、その下の空間に、楕円形で切り込み部３の間隔と同程度の厚みを持つ商品７を嵌め込む。商品には、例えば、楕円形に包装された圧縮タオルや楕円形の石鹸などがある。切り込み部に嵌め込んだ商品７は、下部が底面として働き、上部は切り込み部３に押さえられて保持され、錘の役割を担う。表示方法には、立体側面に字や絵を描画したり、貼り付けたり、ケースを付けて名札等を入れたりなど、多様に利用出来る。シートには紙やプラスチックが用いられ、透明ないし半透明にすれば内部の圧縮タオルなどの商品が見える。シートが硬すぎると底面から側面に移る部分の曲率が大きくなって立体全体の安定性に問題がある。その場合は、線６，６を谷折りし、底面と側面の境界に屈折部を形成して安定化させる。
【００１１】
図１の展開図において、側面５から小片部９を延設し、小片部９を直角に谷折りすると、小片部９が側面を補強するとともに開口部８の空間を部分的に埋めて開口部の外観調節をする役割を果たす。小片部９は側面の形態に関するものであり、必要に応じて適宜の形状で設ける。
【００１２】
図２は、実施例１の断面図で、図１におけるＡ−Ａ部位に当たる。
本発明において、側面や立体上部の形態、錘の保持方法については、上記に限定することはない。また、必ずしも１枚のシートから組み立てるのではなく、各種の材料を使用し、接合して所定の形状に成形すれば良い。
【００１３】
底面が平面である商品を錘に使用するときは、例えば、図３に示すように立体内の底部中央に平面の台１０を設置し、その上に商品を置き、適宜の方法（図示しない）で保持する。錘として使用する商品の重心が高い場合は、底部中央に固定錘を別途設置しておき、錘全体の重心を下げる。
【実施例２】
【００１４】
中空の円錐台の底面を下に凸の球面にした形状の立体で、上面を切欠して開口部とし、底面中央部に固定錘を設置するか、または、底面中央部に平面の台を設置してその上に商品を置き、適宜に保持する。側面部分は、表示用に供される。透明の材料を用い、内部に商品を置けば見本表示具となる。
【図面の簡単な説明】
【００１５】
【図１】実施例１の立体部分の展開図である。
【図２】実施例１の断面図である。
【図３】実施例１の他の態様を示す側面図である。
【符号の説明】
【００１６】
１    シート
２    切り込み
３    切り込み部
４    底面
５    側面
７    商品
８    開口部
９    小片部
１０    台  
【図１】
2007121350.tif 000003
【図２】
2007121350.tif 000004
【図３】
2007121350.tif 000005